(57)【要約】【課題】携帯端末の紛失や盗難時に、低コストで、かつ状況の把握を容易にする識別子記憶サーバ、識別子記憶方法及び識別子記憶サーバ用プログラムを提供する。【解決手段】携帯端末１００が接続したローカルネットワークに関する識別子を取得し、ユーザ端末２００から、携帯端末１００の識別子と対応付けられた登録通知とを取得し、携帯端末１００からルータ３００に送信された接続要求を取得し、この接続要求が、登録通知と対応付けられた携帯端末１００であると判断した場合、アラート通知を送信する。【選択図】図１
2016220166.tif 000002
【特許請求の範囲】
【請求項１】
複数のユーザ端末と、当該複数のユーザ端末のうち、一のユーザ端末と通信可能に接続される通信装置と通信可能に接続された識別子記憶サーバであって、
前記一のユーザ端末が接続したローカルネットワークに関する識別子を取得する識別子取得手段と、
前記一のユーザ端末とは異なる他のユーザ端末から、前記一のユーザ端末の識別子と対応付けられた登録通知とを取得する登録通知取得手段と、
前記一のユーザ端末から前記通信装置に送信された接続要求を取得する接続要求取得手段と、
前記取得した接続要求が、前記取得した登録通知と対応付けられた一のユーザ端末であると判断した場合、アラート通知を送信するアラート通知送信手段と、
を備えることを特徴とする識別子記憶サーバ。
【請求項２】
前記アラート通知手段は、前記アラート通知をメールによって通知する、ことを特徴とする請求項１に記載の識別子記憶サーバ。
【請求項３】
前記アラート通知手段は、前記アラート通知を音声によって通知する、ことを特徴とする請求項１又は２に記載の識別子記憶サーバ。
【請求項４】
前記通信装置の位置情報を取得する位置情報取得手段と、を備え、
前記アラート通知手段は、前記位置情報を付加したアラート通知を送信する、請求項１乃至３のいずれか一項に記載の識別子記憶サーバ。
【請求項５】
複数のユーザ端末と、当該複数の一のユーザ端末と通信可能に接続される通信装置と通信可能に接続された識別子記憶サーバが実行する識別子記憶方法であって、
前記一のユーザ端末が接続したローカルネットワークに関する識別子を取得するステップと、
前記一のユーザ端末とは異なる他のユーザ端末から、前記一のユーザ端末の識別子と対応付けられた登録通知とを取得するステップと、
前記一のユーザ端末から前記通信装置に送信された接続要求を取得するステップと、
前記取得した接続要求が、前記取得した登録通知と対応付けられた一のユーザ端末であると判断した場合、アラート通知を送信するステップと、
を備えることを特徴とする識別子記憶方法。
【請求項６】
複数のユーザ端末と、当該複数の一のユーザ端末と通信可能に接続される通信装置と通信可能に接続された識別子記憶サーバが実行する識別子サーバ用プログラムであって、
前記一のユーザ端末が接続したローカルネットワークに関する識別子を取得するステップ、
前記一のユーザ端末とは異なる他のユーザ端末から、前記一のユーザ端末の識別子と対応付けられた登録通知とを取得するステップ、
前記一のユーザ端末から前記通信装置に送信された接続要求を取得するステップ、
前記取得した接続要求が、前記取得した登録通知と対応付けられた一のユーザ端末であると判断した場合、アラート通知を送信するステップ、
を備えることを特徴とする識別子記憶サーバ用プログラム。
【発明の詳細な説明】
【技術分野】
【０００１】
本発明は、複数のユーザ端末と、この複数のユーザ端末と通信可能に接続される通信装置と通信可能に接続された識別子記憶サーバ、識別子記憶方法及び識別子記憶サーバ用プログラムに関する。
【背景技術】
【０００２】
近年、スマートフォンやタブレット端末等の携帯端末の普及によって、個人情報や企業の機密情報等を携帯端末に記憶する機会が増加している。そのため、携帯端末の紛失や盗難時に、個人情報や機密情報が漏えいすることが問題になっている。
【０００３】
携帯端末の紛失や盗難に対して、クレードルと端末とが近距離無線通信を実行し、携帯端末の監視を行うことが開示されている（特許文献１参照）。
【先行技術文献】
【特許文献】
【０００４】
【特許文献１】特開２０１３−４１５１８号公報
【発明の概要】
【発明が解決しようとする課題】
【０００５】
特許文献１によれば、クレードルと端末とが近距離無線通信を実行されている場合、端末が盗難されていないと判断し、クレードルと端末とが近距離無線通信を実行できない場合、端末が盗難されたと判断することにより、セキュリティワイヤによるセキュリティ対策の解除や再ロックの手間を省き、利便性を向上することができる。
【０００６】
しかしながら、特許文献１に記載の方法では、クレードル等の専用機器を別に容易する必要があるため、コストが高騰してしまうおそれや、紛失したり盗難されたりした場合、端末の現在の状況を把握することが困難なおそれがある。
【０００７】
そこで、本発明は、携帯端末が通信装置と通信を実行することにより、紛失や盗難時に専用の機器を用意せずに、かつ携帯端末の状況を把握することができる点に着目した。
【０００８】
本発明は、携帯端末の紛失や盗難時に、低コストで、かつ状況の把握を容易にする識別子記憶サーバ、識別子記憶方法及び識別子記憶サーバ用プログラムを提供することを目的とする。
【課題を解決するための手段】
【０００９】
本発明では、以下のような解決手段を提供する。
【００１０】
第１の特徴に係る発明は、複数のユーザ端末と、当該複数のユーザ端末のうち、一のユーザ端末と通信可能に接続される通信装置と通信可能に接続された識別子記憶サーバであって、
前記一のユーザ端末が接続したローカルネットワークに関する識別子を取得する識別子取得手段と、
前記一のユーザ端末とは異なる他のユーザ端末から、前記一のユーザ端末の識別子と対応付けられた登録通知とを取得する登録通知取得手段と、
前記一のユーザ端末から前記通信装置に送信された接続要求を取得する接続要求取得手段と、
前記取得した接続要求が、前記取得した登録通知と対応付けられた一のユーザ端末であると判断した場合、アラート通知を送信するアラート通知送信手段と、
を備えることを特徴とする識別子記憶サーバを提供する。
【００１１】
第１の特徴に係る発明によれば、複数のユーザ端末と、当該複数のユーザ端末のうち、一のユーザ端末と通信可能に接続される通信装置と通信可能に接続された識別子記憶サーバは、前記一のユーザ端末が接続したローカルネットワークに関する識別子を取得し、前記一のユーザ端末とは異なる他のユーザ端末から、前記一のユーザ端末の識別子と対応付けられた登録通知とを取得し、前記一のユーザ端末から前記通信装置に送信された接続要求を取得し、前記取得した接続要求が、前記取得した登録通知と対応付けられた一のユーザ端末であると判断した場合、アラート通知を送信する。
【００１２】
ここで、第１の特徴に係る発明は、識別子記憶サーバのカテゴリであるが、識別子記憶方法及び識別子記憶サーバ用プログラム等の他のカテゴリにおいても、そのカテゴリに応じた同様の作用・効果を発揮する。
【００１３】
第２の特徴に係る発明は、前記アラート通知手段が、前記アラート通知をメールによって通知する、ことを特徴とする第１の特徴に係る発明である識別子記憶サーバを提供する。
【００１４】
第２の特徴に係る発明によれば、第１の特徴に係る発明である識別子記憶サーバは、前記アラート通知をメールによって通知する。
【００１５】
第３の特徴に係る発明は、前記アラート通知手段が、前記アラート通知を音声によって通知する、ことを特徴とする第１又は第２の特徴に係る発明である識別子記憶サーバを提供する。
【００１６】
第３の特徴に係る発明によれば、第１又は第２の特徴に係る発明である識別子記憶サーバは、前記アラート通知を音声によって通知する。
【００１７】
第４の特徴に係る発明は、前記通信装置の位置情報を取得する位置情報取得手段と、を備え、前記アラート通知手段が、前記位置情報を付加したアラート通知を送信する、第１乃至第３のいずれかの特徴に係る発明である識別子記憶サーバを提供する。
【００１８】
第４の特徴に係る発明によれば、第１乃至第３のいずれかの特徴に係る発明である識別子記憶サーバは、前記通信装置の位置情報を取得し、前記位置情報を付加したアラート通知を送信する。
【００１９】
第５の特徴に係る発明は、複数のユーザ端末と、当該複数の一のユーザ端末と通信可能に接続される通信装置と通信可能に接続された識別子記憶サーバが実行する識別子記憶方法であって、
前記一のユーザ端末が接続したローカルネットワークに関する識別子を取得するステップと、
前記一のユーザ端末とは異なる他のユーザ端末から、前記一のユーザ端末の識別子と対応付けられた登録通知とを取得するステップと、
前記一のユーザ端末から前記通信装置に送信された接続要求を取得するステップと、
前記取得した接続要求が、前記取得した登録通知と対応付けられた一のユーザ端末であると判断した場合、アラート通知を送信するステップと、
を備えることを特徴とする識別子記憶方法を提供する。
【００２０】
第６の特徴に係る発明は、複数のユーザ端末と、当該複数の一のユーザ端末と通信可能に接続される通信装置と通信可能に接続された識別子記憶サーバが実行する識別子サーバ用プログラムであって、
前記一のユーザ端末が接続したローカルネットワークに関する識別子を取得するステップ、
前記一のユーザ端末とは異なる他のユーザ端末から、前記一のユーザ端末の識別子と対応付けられた登録通知とを取得するステップ、
前記一のユーザ端末から前記通信装置に送信された接続要求を取得するステップ、
前記取得した接続要求が、前記取得した登録通知と対応付けられた一のユーザ端末であると判断した場合、アラート通知を送信するステップ、
を備えることを特徴とする識別子記憶サーバ用プログラムを提供する。
【発明の効果】
【００２１】
本発明によれば、携帯端末の紛失や盗難時に、低コストで、かつ状況の把握を容易にする識別子記憶サーバ、識別子記憶方法及び識別子記憶サーバ用プログラムを提供することが可能となる。
【図面の簡単な説明】
【００２２】
【図１】図１は、識別子記憶システム１の概念図である。
【図２】図２は、識別子記憶システム１の全体構成図である。
【図３】図３は、識別子記憶サーバ１０、携帯端末１００、ユーザ端末２００、ルータ３００の機能ブロック図である。
【図４】図４は、識別子記憶サーバ１０、携帯端末１００、ユーザ端末２００が実行する紛失登録処理を示すフローチャートである。
【図５】図５は、識別子記憶サーバ１０、携帯端末１００、ユーザ端末２００、ルータ３００が実行するアラート通知処理を示すフローチャートである。
【図６】図６は、識別子記憶サーバ１０が記憶するユーザ情報登録テーブルを示す図である。
【図７】図７は、ユーザ端末２００が表示する紛失通知入力画面を示す図である。
【図８】図８は、ユーザ端末２００が表示するアラート通知画面を示す図である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［識別子記憶システム１のシステム概要］
本発明の概要について、図１に基づいて、説明する。識別子記憶サーバ１０は、携帯端末１００、ユーザ端末２００及びルータ３００と通信可能に接続されたサーバである。また、携帯端末１００は、携帯電話、スマートフォン、ネットブック端末、スレート端末、電子書籍端末、電子辞書端末、携帯音楽プレーヤ、携帯型コンテンツ再生・録画プレーヤ等の一般的な情報家電であって良い。また、ユーザ端末２００は、上述した一般的な情報家電や、デスクトップパソコン、ラップトップパソコン等の一般的なコンピュータ機器であって良い。また、ルータ３００は、一般的なゲートウェイ装置であり、複数の携帯端末１００とローカルエリアネットワークを構築する。複数の携帯端末１００は、ルータ３００を介して、公衆回線網５と通信可能に接続されている。
【００２５】
なお、上述した複数のユーザ端末のうち、一のユーザ端末は、携帯端末１００に該当する。また、上述した複数のユーザ端末のうち、他の端末は、ユーザ端末２００に該当する。また、上述した通信装置は、ルータ３００に該当する。上述した識別子記憶サーバは、識別子記憶サーバ１０に該当する。
【００２６】
初めに、携帯端末１００は、自身の識別子を識別子記憶サーバ１０に送信する（ステップＳ０１）。ステップＳ０１において、携帯端末１００が送信する識別子とは、自身のＭＡＣアドレス、端末の固有番号、製造番号、自身に設定されたユーザ名、このユーザ名に対応付けられたユーザＩＤ等である。なお、ステップＳ０１において、携帯端末１００が送信する自身の識別子は、少なくともローカルネットワークに関する識別子であるＭＡＣアドレスを送信すれば良く、他の識別子は適宜変更可能である。
【００２７】
識別子記憶サーバ１０は、受信した携帯端末１００の識別子を記憶する。
【００２８】
ユーザ端末２００は、携帯端末１００の紛失通知を識別子記憶サーバ１０に送信する（ステップＳ０２）。ステップＳ０２において、ユーザ端末２００は、紛失通知として、携帯端末１００のユーザ名又は電話番号等の端末を識別するための識別子と、紛失した日時、紛失通知の送信先のメールアドレスや電話番号等を送信する。なお、ステップＳ０２において、ユーザ端末２００が送信する携帯端末１００の識別子は、少なくともこの携帯端末１００のＭＡＣアドレスを送信すれば良く、他の識別子は適宜変更可能である。
【００２９】
識別子記憶サーバ１０は、ユーザ端末２００から送信された紛失通知を受信する。識別子記憶サーバ１０は、ユーザ端末２００から受信した紛失通知と、携帯端末１００から受信した識別子とを対応付けて記憶する。
【００３０】
携帯端末１００は、ルータ３００に接続要求を送信する（ステップＳ０３）。ルータ３００は、携帯端末１００からの接続要求を受信する。ルータ３００は、この接続要求を送信した携帯端末１００に識別子取得要求を送信する（ステップＳ０４）。携帯端末１００は、ルータ３００からの識別子取得要求を受信する。携帯端末１００は、受信した識別子取得要求に基づいて、ルータ３００に自身のＭＡＣアドレスを送信する（ステップＳ０５）。
【００３１】
ルータ３００は、受信した携帯端末１００のＭＡＣアドレスを識別子記憶サーバ１０に送信する（ステップＳ０６）。識別子記憶サーバ１０は、このＭＡＣアドレスを受信する。識別子記憶サーバ１０は、受信したＭＡＣアドレスに基づいて、自身が記憶する紛失通知の登録がなされたＭＡＣアドレスを検索する。識別子記憶サーバ１０は、今回受信したＭＡＣアドレスが、自身が記憶する紛失通知の登録がなされたＭＡＣアドレスであると判断した場合、アラート通知を生成する。
【００３２】
識別子記憶サーバ１０は、生成したアラート通知をユーザ端末２００に送信する（ステップＳ０７）。ステップＳ０７において、識別子記憶サーバ１０は、アラート通知をユーザ端末２００のメールアドレスあてに、発見した場所、この場所の周辺地図、発見状況に関するコメントを記載したメールとして送信する。また、識別子記憶サーバ１０は、アラート通知をユーザ端末２００の電話番号を発呼し、発見した場所、この場所の周辺情報、発見状況に関するコメントを音声通知として実行する。また、識別子記憶サーバ１０は、アラート通知を専用のアプリケーションを介して、発見した場所、この場所の周辺地図、発見状況に関するコメントを送信することにより実行する。
【００３３】
ユーザ端末２００は、送信されたアラート通知を表示する。アラート通知がメールである場合、メールアプリケーションを起動し、本文を表示する。また、アラート通知が音声通知である場合、電話アプリケーションを起動し、着呼し、受信した音声通知を音声として実行する。また、アラート通知が専用のアプリケーションを介したものである場合、対応するアプリケーションを起動し、アラート通知を表示する。以上が、本発明の概要である。
【００３４】
［識別子記憶システム１のシステム構成］
図２は、本発明の好適な実施形態である識別子記憶システム１のシステム構成図である。識別子記憶システム１は、識別子記憶サーバ１０、携帯端末１００、ユーザ端末２００、ルータ３００、公衆回線網５から構成される。
【００３５】
携帯端末１００とルータ３００とは、通信可能に接続される。また、ルータ３００と識別子記憶サーバ１０とは公衆回線網５を介して通信可能に接続される。また、ユーザ端末２００と識別子記憶サーバ１０とは公衆回線網５を介して通信可能に接続される。また、識別子記憶サーバ１０、携帯端末１００、ユーザ端末２００、ルータ３００は、各々又は個別に近距離無線通信等を介して、直接通信可能に接続されていても良い。
【００３６】
携帯端末１００は、一般的な情報端末であって良く、後述する機能を備える情報機器や電化製品である。携帯端末１００は、例えば、上述したように、携帯電話、スマートフォン、ネットブック端末、スレート端末、電子書籍端末、電子辞書端末、携帯音楽プレーヤ、携帯型コンテンツ再生・録画プレーヤ等の一般的な情報家電であって良い。
【００３７】
ユーザ端末２００は、一般的な情報端末であって良く、後述する機能を備える情報機器や電化製品である。ユーザ端末２００は、例えば、上述したように、一般的な情報家電やコンピュータ等の情報処理装置であって良い。
【００３８】
また、ルータ３００は、一般的なゲートウェイ装置であり、複数の携帯端末１００とローカルネットワークを構築する。後述する機能を備える通信装置である。複数の携帯端末１００は、ルータ３００を介して公衆回線網と通信可能に接続される。
【００３９】
識別子記憶サーバ１０は、後述する機能を備えるサーバ装置である。
【００４０】
［各機能の説明］
図３は、識別子記憶サーバ１０、携帯端末１００、ユーザ端末２００、ルータ３００の機能ブロック図と各機能との関係を示す図である。
【００４１】
識別子記憶サーバ１０は、制御部１１としてＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ）対応デバイス又は、第３世代移動通信システム等のＩＭＴ−２０００規格に準拠した無線デバイス等を備える（有線によるＬＡＮ接続であってもよい）。
【００４２】
また、識別子記憶サーバ１０は、記憶部１３として、ハードディスクや半導体メモリによる、データのストレージ部を備え、後述するユーザ情報登録テーブルを記憶する。
【００４３】
識別子記憶サーバ１０において、制御部１１が所定のプログラムを読み込むことで、通信部１２と協働して、識別子受信モジュール４０、アラート通知モジュール４１、紛失通知受信モジュール４２、位置情報取得モジュール４３を実現する。また、識別子記憶サーバ１０において、制御部１１が所定のプログラムを読み込むことで、記憶部１３と協働して、識別子記憶モジュール５０、識別子判断モジュール５１を実現する。
【００４４】
携帯端末１００は、制御部１１０として、ＣＰＵ、ＲＡＭ、ＲＯＭ等を備え、通信部１２０として、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００４５】
携帯端末１００において、制御部１１０が所定のプログラムを読み込むことで、通信部１２０と協働して、識別子送信モジュール１４０、接続要求送信モジュール１４１、識別子取得要求受信モジュール１４２を実現する。
【００４６】
ユーザ端末２００は、制御部２１０として、ＣＰＵ、ＲＡＭ、ＲＯＭ等を備え、通信部２２０として、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００４７】
また、ユーザ端末２００は、入出力部２３０として、制御部２１０で制御したデータや画像を出力する表示部を備え、かつ、ユーザからの入力を受け付けるタッチパネルやキーボード、マウス等を備える。
【００４８】
ユーザ端末２００において、制御部２１０が所定のプログラムを読み込むことで、通信部２２０と協働して、紛失通知送信モジュール２４０、アラート通知受信モジュール２４１、アプリケーションモジュール２４２を実現する。また、ユーザ端末２００において、制御部２１０が所定のプログラムを読み込むことで、入出力部２３０と協働して、紛失通知入力モジュール２５０、アラート通知表示モジュール２５１を実現する。
【００４９】
ルータ３００は、制御部３１０としてＣＰＵ、ＲＡＭ、ＲＯＭ等を備え、通信部３２０として、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００５０】
ルータ３００において、制御部３１０が所定のプログラムを読み込むことで、通信部３２０と協働して、接続要求受信モジュール３４０、識別子取得モジュール３４１、位置情報取得要求受信モジュール３４２、位置情報送信モジュール３４３を実現する。
【００５１】
［紛失登録処理］
図４は、携帯端末１００、識別子記憶サーバ１０及びユーザ端末２００が実行する紛失登録処理のフローチャートである。上述した各装置のモジュールが実行する処理について、本処理に併せて説明する。
【００５２】
初めに、携帯端末１００の識別子送信モジュール１４０は、ローカルネットワークに関する識別子や自身を識別する識別子を識別子記憶サーバ１０に送信する（ステップＳ１０）。ステップＳ１０において、識別子送信モジュール１４０が送信する識別子とは、ＭＡＣアドレス、所有者名、電話番号、製造番号、固有番号、ＳＩＭ  ＩＤ等である。
【００５３】
識別子記憶サーバ１０の識別子受信モジュール４０は、携帯端末１００から送信された識別子を受信する。識別子記憶サーバ１０の識別子記憶モジュール５０は、携帯端末１００から受信した識別子を図６に示すユーザ情報登録テーブルとして記憶する（ステップＳ１１）。
【００５４】
図６は、識別子記憶モジュール５０が記憶するユーザ情報登録テーブルを示す図である。図６において、識別子記憶モジュール５０は、ユーザ名、ユーザＩＤ、ＭＡＣアドレス、メールアドレス、連絡先メールアドレス、電話番号、連絡先電話番号、連絡先ＩＰアドレス、紛失通知を対応付けて記憶する。連絡先メールアドレス、連絡先電話番号、連絡先ＩＰアドレス、紛失通知については、後述する。識別子記憶モジュール５０は、上述した携帯端末１００から受信した識別子の各々と、連絡先メールアドレスと、連絡先電話番号と、連絡先ＩＰアドレスと、紛失通知とを対応付けて記憶する。ユーザ情報登録テーブルにおいて、ユーザ名、ユーザＩＤ、ＭＡＣアドレス、メールアドレス、電話番号は、携帯端末１００の識別子である。また、連絡先メールアドレス、連絡先電話番号は、後述するアラート通知を送信するユーザ端末２００のメールアドレスと、電話番号である。また、連絡先ＩＰアドレスは、後述するアラート通知を実行するユーザ端末２００のＩＰアドレスである。また、紛失通知は、後述する紛失通知の登録が行われたか否かを示すものである。
【００５５】
なお、識別子記憶モジュール５０が記憶するユーザ情報登録テーブルは、上述した項目に限らず、他の項目が対応付けられて登録されていても良い。また、ユーザ情報登録テーブルは、上述した項目のいずれかが登録されていても良い。この場合、少なくとも、ＭＡＣアドレスと紛失通知とが対応付けられて登録されていれば良く、他の項目は適宜変更可能である。
【００５６】
次に、ユーザ端末２００の紛失通知入力モジュール２５０は、携帯端末１００の紛失通知の入力が行われたか否かを判断する（ステップＳ１２）。紛失通知入力モジュール２５０は、ユーザが所定のアプリケーションを起動することにより、図７に示す紛失通知入力画面を表示する。
【００５７】
図７は、紛失通知入力モジュール２５０が表示する紛失通知入力画面である。図７において、紛失通知入力モジュール２５０は、紛失した携帯端末１００のユーザ名、携帯端末ＭＡＣアドレス、紛失日時、メールアドレス、発見時送信先メールアドレス、発見時連絡先電話番号、発見時連絡先ＩＰアドレスの各項目に対する入力を受け付ける。紛失通知入力モジュール２５０が受け付ける発見時送信先メールアドレスは、後述するアラート処理において、メールによるアラート通知を受信するメールアドレスである。また、紛失通知入力モジュール２５０が受け付ける発見時連絡先電話番号は、後述するアラート処理において、音声通知によるアラート通知を実行するユーザ端末２００の電話番号である。また、紛失通知入力モジュール２５０が受け付ける発見時連絡先ＩＰアドレスは、後述するアラート処理において、所定のアプリケーションによるアラート通知を実行する対象となるユーザ端末２００のＩＰアドレスである。紛失通知入力モジュール２５０は、ユーザが各項目に対して直接入力することを受け付けても良いし、各項目が予め設定されているものを選択することを受け付けても良いし、各項目に対して予め設定された複数の内容のうち、一の内容を選択することを受け付けても良い。
【００５８】
なお、紛失通知入力モジュール２５０は、上述した各項目に限らず、他の項目が追加されていても良い。また、紛失通知入力モジュール２５０は、少なくともＭＡＣアドレスの入力を受け付ければ良く、他の項目については、入力を受け付けなくとも良い。
【００５９】
ステップＳ１２において、紛失通知入力モジュール２５０は、紛失通知の入力が行われていないと判断した場合（ステップＳ１２  ＮＯ）、本処理を終了する。一方、ステップＳ１２において、紛失通知入力モジュール２５０は、紛失通知の入力が行われたと判断した場合（ステップＳ１２  ＹＥＳ）ユーザ端末２００の紛失通知送信モジュール２４０は、紛失通知入力モジュール２５０が入力を受け付けた紛失通知を、識別子記憶サーバ１０に送信する（ステップＳ１３）。
【００６０】
識別子記憶サーバ１０の紛失通知受信モジュール４２は、ユーザ端末２００から送信された紛失通知を受信する。識別子記憶サーバ１０の紛失通知記憶モジュール５０は、ユーザ端末２００から受信した紛失通知を記憶する（ステップＳ１４）。
【００６１】
ステップＳ１４において、識別子記憶サーバ１０の識別子記憶モジュール５０は、受信した紛失通知に含まれるＭＡＣアドレスに基づいて、ユーザ情報登録テーブルに登録されたＭＡＣアドレスを検索する。識別子記憶モジュール５０は、このＭＡＣアドレスと紛失通知に含まれる連絡先メールアドレス、連絡先電話番号、連絡先ＩＰアドレス、紛失通知とを対応付けて記憶する。
【００６２】
なお、紛失通知入力モジュール２５０は、紛失通知の入力をメールにより受け付けても良い。この場合、紛失通知として、上述した各項目をメール本文又は添付ファイルに記載することを受け付ける。紛失通知送信モジュール２４０は、識別子記憶サーバ１０にこのメールを送信すれば良い。
【００６３】
また、紛失通知入力モジュール２５０は、紛失通知の入力を電話により受け付けても良い。この場合、紛失通知として、上述した各項目を電話中のキー入力により受け付け、紛失通知送信モジュール２４０は、受け付けたキー入力を識別子記憶サーバ１０に送信すれば良い。また、紛失通知入力モジュール２５０は、紛失通知として上述した各項目を音声入力により受け付け、紛失通知送信モジュール２４０は、識別子記憶サーバ１０に受け付けた音声入力を送信すれば良い。
【００６４】
なお、紛失通知入力モジュール２５０は、所定のウェブサイトにおいて、上述した紛失通知の各項目を入力するようにしても良い。この場合、所定のウェブサイトを有するサーバ装置から、識別子記憶サーバ１０に紛失通知を送信するようにしても良い。
【００６５】
以上が、紛失登録処理である。
【００６６】
［アラート通知処理］
図５は、携帯端末１００、識別子記憶サーバ１０、ユーザ端末２００、ルータ３００が実行するアラート通知処理のフローチャートである。上述した各装置のモジュールが実行する処理について、本処理に併せて説明する。
【００６７】
携帯端末１００の接続要求送信モジュール１４１は、ルータ３００にローカルネットワークへの接続要求を送信する（ステップＳ２０）。
【００６８】
ルータ３００の接続要求受信モジュール３４０は、携帯端末１００から送信された接続要求を受信する。ルータ３００の識別子取得モジュール３４１は、この接続要求を送信したユーザ端末１００の識別子を取得する要求である識別子取得要求を送信する（ステップＳ２１）。
【００６９】
携帯端末１００の識別子取得要求受信モジュール１４２は、ルータ３００から送信された識別子取得要求を受信する。携帯端末１００の識別子送信モジュール１４０は、受信した識別子取得要求に基づいて、ローカルネットワークに関する識別子である自身のＭＡＣアドレスをルータ３００に送信する（ステップＳ２２）。
【００７０】
ルータ３００の識別子取得モジュール３４１は、携帯端末１００から送信されたＭＡＣアドレスを受信する。ルータ３００の識別子送信モジュール１４０は、受信した携帯端末１００のＭＡＣアドレスを識別子記憶サーバ１０に送信する（ステップＳ２３）。
【００７１】
識別子記憶サーバ１０の識別子受信モジュール４０は、ルータ３００から送信された携帯端末１００のＭＡＣアドレスを受信する。識別子記憶サーバ１０の識別子判断モジュール５１は、受信した携帯端末１００のＭＡＣアドレスに基づいて、ユーザ情報登録テーブルに登録されたＭＡＣアドレスを検索する。識別子判断モジュール５１は、今回受信したＭＡＣアドレスが、ユーザ情報テーブルに登録されており、かつ、このＭＡＣアドレスに紛失通知が対応付けられているか否かを判断する（ステップＳ２４）。
【００７２】
ステップＳ２４において、識別子判断モジュール５１は、紛失通知の登録が行われていないと判断した場合（ステップＳ２４  ＮＯ）、本処理を終了する。一方、ステップＳ２４において、識別子判断モジュール５１は、紛失通知の登録が行われていると判断した場合（ステップＳ２４  ＹＥＳ）、識別子記憶サーバ１０の位置情報取得モジュール４３は、今回、携帯端末１００のＭＡＣアドレスを送信したルータ３００に位置情報取得要求を送信する（ステップＳ２５）。
【００７３】
ルータ３００の位置情報取得要求受信モジュール３４２は、識別子記憶サーバ１０から送信された位置情報取得要求を受信する。ルータ３００の位置情報送信モジュール３４３は、受信した位置情報取得要求に基づいて、識別子記憶サーバ１０に自身の位置情報を送信する（ステップＳ２６）。
【００７４】
ステップＳ２６において、ルータ３００は自身の位置情報をＧＰＳにより取得し、識別子記憶サーバ１０に送信する、予め自身の位置情報が登録されており、この登録された位置情報を取得し、識別子記憶サーバ１０に送信する、又は、携帯端末１００の位置情報を取得し、取得した位置情報を自身の位置情報として、識別子記憶サーバ１０に送信する。なお、ルータ３００は、自身の位置情報を他の方法により取得し、識別子記憶サーバ１０に送信しても良い。
【００７５】
識別子記憶サーバ１０のアラート通知モジュール４１は、アラート通知を生成する（ステップＳ２７）。ステップＳ２７において、アラート通知として、発見通知、発見場所に関する文字情報、発見場所付近の地図情報、発見時の状況に関するコメントを生成する。
【００７６】
アラート通知モジュール４１は、ルータ３００から取得した位置情報に基づいて、発見場所に関する情報を生成する。例えば、アラート通知モジュール４１は、ルータ３００から取得した位置情報を地図サーバ等の専用サーバに送信し、発見場所の位置情報や、所在地名、店舗名、ビル名等の発見場所に関する情報を取得し、取得した発見場所に関する情報を発見場所に関する文字情報として生成する。また、アラート通知モジュール４１は、ルータ３００から取得した位置情報に基づいて、発見場所付近の地図情報を生成する。例えば、アラート通知モジュール４１は、ルータ３００から取得した位置情報を地図サーバ等の専用サーバに送信し、発見場所の周辺地図に関する地図情報を取得し、この地図情報を、発見場所付近の地図情報として生成する。また、アラート通知モジュール４１は、ルータ３００からＭＡＣアドレスを受信した日時を取得し、この日時や、自身の検出場所等を示す情報を、発見時の状況に関するコメントとして生成する。なお、アラート通知モジュール４１が生成するアラート通知は、上述した項目に限らず、適宜変更しても良い。
【００７７】
識別子記憶サーバ１０のアラート通知モジュール４１は、生成したアラート通知をユーザ端末２００に送信する（ステップＳ２８）。
【００７８】
ステップＳ２８において、ユーザ端末２００のアラート通知受信モジュール２４１は、アラート通知をメールとして受信しても良い。この場合、識別子記憶サーバ１０のアラート通知モジュール４１は、ステップＳ２４において受信したＭＡＣアドレスに対応付けられた連絡先メールアドレスを検索する。アラート通知モジュール４１は、検索した連絡先メールアドレスに対して、上述した発見通知、発見場所に関する文字情報、発見場所付近の地図情報、発見時の状況に関するコメントをメールの本文に記載する又は添付ファイルとしてメールに添付し、アラート通知として生成する。アラート通知モジュール４１は、このメールを、登録された連絡先メールアドレスを有するユーザ端末２００に送信する。なお、アラート通知モジュール４１は、メール本文に上述した各項目を記載することやメールに各項目を記載した添付ファイルを添付するのではなく、メールの本文や添付ファイルに、上述した各項目が記載されたウェブサイトのＵＲＬを記載し、ユーザ端末２００に送信しても良い。
【００７９】
また、ステップＳ２８において、ユーザ端末２００のアラート通知受信モジュール２４１は、アラート通知を電話による音声通知として受信しても良い。この場合、識別子記憶サーバ１０のアラート通知モジュール４１は、ステップＳ２４において受信したＭＡＣアドレスに対応付けられた連絡先電話番号を検索する。アラート通知モジュール４１は、上述した発見通知、発見場所に関する文字情報、発見場所付近の地図情報、発見時の状況に関するコメントの音声通知を生成し、アラート通知として生成する。アラート通知モジュール４１は、登録された連絡先電話番号を有するユーザ端末２００に発呼する。
【００８０】
また、ステップＳ２８において、ユーザ端末２００のアラート通知受信モジュール２４１は、アラート通知を専用アプリケーションにより受信しても良い。この場合、識別子記憶サーバ１０のアラート通知モジュール４１は、ステップＳ２４において受信したＭＡＣアドレスに対応付けられた連絡先ＩＰアドレスを検索する。アラート通知モジュール４１は、上述した発見通知、発見場所に関する文字情報、発見場所付近の地図情報、発見時の状況に関するコメントを生成し、アラート通知として生成する。アラート通知モジュール４１は、このアラート通知を連絡先ＩＰアドレスを有するユーザ端末２００へ送信する。
【００８１】
なお、ステップＳ２８において、上述した方法に限らず、識別子記憶サーバ１０は、他の方法により、アラート通知をユーザ端末２００へ送信しても良い。
【００８２】
ユーザ端末２００のアラート通知受信モジュール２４１は、識別子記憶サーバ１０から送信されたアラート通知を受信する。ユーザ端末２００のアラート通知表示モジュール２５１は、受信したアラート通知を図８に示すアラート通知画面として表示する（ステップＳ２９）。図８は、ユーザ端末２００が表示するアラート通知画面を示す図である。図８において、アラート通知表示モジュール２５１は、識別子記憶サーバ１０が生成した発見通知、発見場所に関する文字情報、発見場所付近の地図情報、発見時の状況に関するコメントを表示する。
【００８３】
ステップＳ２９において、ユーザ端末２００のアラート通知表示モジュール２５１は、アラート通知をメールとして受信した場合、ユーザ端末２００のアプリケーションモジュール２４２は、メールアプリケーションを起動する。アラート通知表示モジュール２５１は、アプリケーションモジュール２４２が起動したメールアプリケーションを介して、アラート通知を表示する。具体的には、アプリケーションモジュール２４２は、受信したメールをメールアプリケーションにより開封し、記載されている本文及び添付ファイルを表示する。
【００８４】
なお、アプリケーションモジュール２４２は、メールの本文や添付ファイルに、上述した各項目が記載されたウェブサイトのＵＲＬが記載されている場合、表示したメール本文又は添付ファイルに記載されたＵＲＬの選択操作を受け付け、ウェブブラウザアプリケーションを起動し、このＵＲＬのリンク先を表示する。
【００８５】
また、ステップＳ２９において、ユーザ端末２００のアラート通知表示モジュール２５１は、アラート通知として、着呼を受け付けた場合、ユーザ端末２００のアプリケーションモジュール２４２は、電話アプリケーションを起動する。アラート通知表示モジュール２５１は、アプリケーションモジュール２４２が起動した電話アプリケーションを介して、発呼先が識別子記憶サーバ１０であることを示す表示又は識別子記憶サーバ１０に接続される電話装置の電話番号を表示する。アラート通知表示モジュール２５１は、アラート通知を音声として、スピーカー等を介して出力する。
【００８６】
また、ステップＳ２９において、ユーザ端末２００のアラート通知表示モジュール２５１は、アラート通知を専用アプリケーションにより受信した場合、ユーザ端末２００のアプリケーションモジュール２４２は、所定の専用アプリケーションを起動する。アラート通知表示モジュール２５１は、アプリケーションモジュール２４２が起動した専用アプリケーションを介して、アラート通知を表示する。
【００８７】
以上が、アラート通知処理である。
【００８８】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００８９】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９０】
１  識別子記憶システム、１０  識別子記憶サーバ、１００  携帯端末、２００  ユーザ端末、３００  ルータ
【図１】
2016220166.tif 000003
【図２】
2016220166.tif 000004
【図３】
2016220166.tif 000005
【図４】
2016220166.tif 000006
【図５】
2016220166.tif 000007
【図６】
2016220166.tif 000008
【図７】
2016220166.tif 000009
【図８】
2016220166.tif 000010